(57)【特許請求の範囲】
【請求項１】
収納筒体（２１）と、収納筒体（２１）に着脱自在に套嵌されるキャップ（５１）とを備え、収納筒体（２１）に、先端側にブラシ毛（２８）を有するブラシ本体（２７）が、ブラシ毛（２８）が収納筒体（２１）内に収まる収納位置Ａとブラシ毛（２８）が収納筒体（２１）の先端から突出する使用位置Ｂとに移動自在となるように収納され、収納筒体（２１）の長手方向に長孔（２４）が設けられ、ブラシ本体（２７）に、突出体（３３）が長孔（２４）から外方突出するように設けられ、
キャップ（５１）を収納筒体（２１）の基端側に套嵌するとき、キャップ（５１）で、突出体（３３）を長孔（２４）に沿って収納筒体（２１）の先端側に押圧することにより、ブラシ本体（２７）を使用位置Ｂ側に移動させるようにした化粧用ブラシにおいて、
ブラシ本体（２７）に、係止体（５４）が長孔（２４）から外方突出するように設けられ、キャップ（５１）を収納筒体（２１）の基端側から取り外す際に、ブラシ本体（２７）を、キャップ（５１）に連動させて使用位置Ｂから収納位置Ａ側に移動させるように、前記ブラシ本体（２７）の係止体（５４）に係脱自在に係合する係合部（５８）が、キャップ（５１）に、設けられ、
前記係止体（５４）が、ブラシ本体（２７）に、長孔（２４）から出退自在に外方突出するように設けられると共に、係止体（５４）を長孔（２４）から外方突出するように付勢するバネ（５５）が設けられ、
キャップ（５１）を収納筒体（２１）の基端側に套嵌するとき、係合部（５８）が係止体（５４）を乗り越えるように係止体（５４）を前記バネ（５５）に抗して長孔（２４）内に後退させるカム機構（６２）が、設けられていることを特徴とする化粧用ブラシ。
【請求項２】
前記カム機構（６２）が、係止体（５４）に形成したカム面（６１）と、キャップ（５１）の開口縁部とで構成されていることを特徴とする請求項１に記載の化粧用ブラシ。
【請求項３】
収納筒体（２１）と、収納筒体（２１）に着脱自在に套嵌されるキャップ（５１）とを備え、収納筒体（２１）に、先端側にブラシ毛（２８）を有するブラシ本体（２７）が、ブラシ毛（２８）が収納筒体（２１）内に収まる収納位置Ａとブラシ毛（２８）が収納筒体（２１）の先端から突出する使用位置Ｂとに移動自在となるように収納され、収納筒体（２１）の長手方向に長孔（２４）が設けられ、ブラシ本体（２７）に、突出体（３３）が長孔（２４）から外方突出するように設けられ、
キャップ（５１）を収納筒体（２１）の基端側に套嵌するとき、キャップ（５１）で、突出体（３３）を長孔（２４）に沿って収納筒体（２１）の先端側に押圧することにより、ブラシ本体（２７）を使用位置Ｂ側に移動させるようにした化粧用ブラシにおいて、
ブラシ本体（２７）に、係止体（５４）が長孔（２４）から外方突出するように設けられ、キャップ（５１）を収納筒体（２１）の基端側から取り外す際に、ブラシ本体（２７）を、キャップ（５１）に連動させて使用位置Ｂから収納位置Ａ側に移動させるように、前記ブラシ本体（２７）の係止体（５４）に係脱自在に係合する係合部（５８）が、キャップ（５１）に、設けられ、
前記係止体（５４）が、ブラシ本体（２７）に、長孔（２４）から出退自在に外方突出するように設けられると共に、係止体（５４）を長孔（２４）から外方突出するように付勢するバネ（７１）が設けられ、
ブラシ本体（２７）を収納位置Ａに移動させたとき、係合部（５８）が係止体（５４）から外れるように、係止体（５４）を前記バネ（５５）に抗して長孔（２４）内に後退させるカム機構（６４）が設けられていることを特徴とする化粧用ブラシ。
【請求項４】
前記カム機構（６４）が、係止体（５４）に形成したカム面（６１）と、前記長孔（２４）の基端側縁部とで構成されていることを特徴とする請求項３に記載の化粧用ブラシ。
【請求項５】
収納筒体（２１）と、収納筒体（２１）に着脱自在に套嵌されるキャップ（５１）とを備え、収納筒体（２１）に、先端側にブラシ毛（２８）を有するブラシ本体（２７）が、ブラシ毛（２８）が収納筒体（２１）内に収まる収納位置Ａとブラシ毛（２８）が収納筒体（２１）の先端から突出する使用位置Ｂとに移動自在となるように収納された化粧用ブラシにおいて、
ブラシ本体（２７）に、係止体（３３）が設けられ、キャップ（５１）を収納筒体（２１）の基端側から取り外す際に、ブラシ本体（２７）をキャップ（５１）に連動させて使用位置Ｂから収納位置Ａ側に移動させるように、前記ブラシ本体（２７）の係止体（５４）に係脱自在に係合する係合部（５８）が、キャップ（５１）に、設けられ、
収納筒体（２１）に挿通孔（６６）が設けられ、ブラシ本体（２７）に、第２係止体（７０）が前記挿通孔（６６）から出退自在に外方突出するように設けられると共に、第２係止体（７０）を挿通孔（６６）から出退自在に外方突出するように付勢するバネ（７１）が設けられ、
キャップ（５１）に、前記ブラシ本体（２７）の第２係止体（７０）に係脱自在に係合する第２係合部（７２）が設けられ、
キャップ（５１）を収納筒体（２１）の先端側に套嵌したとき、ブラシ本体（２７）の第２係止体（７０）が、収納筒体（２１）の挿通孔（６６）から突出すると共に、この突出した第２係止体（７０）に、収納筒体（２１）に対してキャップ（５１）を位置決め保持するように、キャップ（５１）の第２係合部（７２）が、係脱自在に係合するように構成されていることを特徴とする化粧用ブラシ。
【請求項６】
前記収納筒体（２１）とキャップ（５１）とは、長手方向の中心線廻りに互いに１８０度回転させても、収納筒体（２１）に対してキャップ（５１）が着脱自在に套嵌可能になるように、長手方向の中心線廻りに点対称となる筒状に形成され、前記キャップ（５１）の係合部（５８）と第２係合部（７２）とが、互いに兼用できるように、長手方向の中心線廻りに点対称な位置に設けられていることを特徴とする請求項５に記載の化粧用ブラシ。
【発明の詳細な説明】
【０００１】
【発明の属する技術分野】
本発明は、パウダーブラシ等の化粧用ブラシに関するものである。
【０００２】
【従来の技術】
パウダーブラシ等の化粧用ブラシには、図２６及び図２７に示すように、収納筒体１と、収納筒体１に着脱自在に套嵌されるキャップ２とを備え、収納筒体１に、先端側にブラシ毛３を有するブラシ本体４を、ブラシ毛３が収納筒体１内に収まる収納位置Ａとブラシ毛３が収納筒体１の先端から突出する使用位置Ｂとに移動自在となるように収納し、収納筒体１の長手方向に長孔５を設け、ブラシ本体４に、突出体６を長孔５から外方突出するように設け、キャップ２を収納筒体１の基端側に套嵌するとき、キャップ２で、突出体６を長孔５に沿って収納筒体１の先端側に押圧することにより、ブラシ本体４を使用位置Ｂ側に移動させるようにしたものがある。
【０００３】
【発明が解決しようとする課題】
しかし、従来の場合、キャップ２を収納筒体１の基端側に套嵌して、ブラシ本体４を使用位置Ｂ側に移動させて、化粧用ブラシを使用した後、キャップ２を収納筒体１の先端側に套嵌する場合、キャップ２を収納筒体１の基端側から取り外しても、ブラシ本体４は使用位置Ｂ側にあって、ブラシ毛３が収納筒体１の先端から突出した状態のままであるので、キャップ２を収納筒体１の基端側から取り外した後、指等で突出体６を長孔５に沿って収納筒体１の基端側に押圧することにより、ブラシ本体４を収納位置Ａ側に移動させ、その後にキャップ２を収納筒体１の先端側に套嵌させる必要があった。
【０００４】
従って、従来では、化粧用ブラシを使用した後、指等を使用してブラシ本体４を収納位置Ａ側に移動させる必要があり、キャップ２を収納筒体１の先端側に套嵌させるまでの操作が面倒であった。
本発明は上記問題点に鑑み、化粧用ブラシを使用した後に、ブラシ本体を簡単に収納位置側に移動させて、化粧用ブラシの使用後からキャップを収納筒体１の先端側に套嵌するまでの操作が容易になるようにしたものである。
【０００５】
【課題を解決するための手段】
この技術的課題を解決するための本発明の技術的手段は、収納筒体２１と、収納筒体２１に着脱自在に套嵌されるキャップ５１とを備え、収納筒体２１に、先端側にブラシ毛２８を有するブラシ本体２７が、ブラシ毛２８が収納筒体２１内に収まる収納位置Ａとブラシ毛２８が収納筒体２１の先端から突出する使用位置Ｂとに移動自在となるように収納され、収納筒体２１の長手方向に長孔２４が設けられ、ブラシ本体２７に、突出体３３が長孔２４から外方突出するように設けられ、
キャップ５１を収納筒体２１の基端側に套嵌するとき、キャップ５１で、突出体３３を長孔２４に沿って収納筒体２１の先端側に押圧することにより、ブラシ本体２７を使用位置Ｂ側に移動させるようにした化粧用ブラシにおいて、
ブラシ本体２７に、係止体５４が長孔２４から外方突出するように設けられ、キャップ５１を収納筒体２１の基端側から取り外す際に、ブラシ本体２７を、キャップ５１に連動させて使用位置Ｂから収納位置Ａ側に移動させるように、前記ブラシ本体２７の係止体５４に係脱自在に係合する係合部５８が、キャップ５１に、設けられ、
前記係止体５４が、ブラシ本体２７に、長孔２４から出退自在に外方突出するように設けられると共に、係止体５４を長孔２４から外方突出するように付勢するバネ５５が設けられ、
キャップ５１を収納筒体２１の基端側に套嵌するとき、係合部５８が係止体５４を乗り越えるように係止体５４を前記バネ５５に抗して長孔２４内に後退させるカム機構６２が、設けられている点にある。
【０００６】
本発明の他の技術的手段は、前記カム機構６２が、係止体５４に形成したカム面６１と、キャップ５１の開口縁部とで構成されている点にある。
【０００７】
本発明の他の技術的手段は、収納筒体２１と、収納筒体２１に着脱自在に套嵌されるキャップ５１とを備え、収納筒体２１に、先端側にブラシ毛２８を有するブラシ本体２７が、ブラシ毛２８が収納筒体２１内に収まる収納位置Ａとブラシ毛２８が収納筒体２１の先端から突出する使用位置Ｂとに移動自在となるように収納され、収納筒体２１の長手方向に長孔２４が設けられ、ブラシ本体２７に、突出体３３が長孔２４から外方突出するように設けられ、
キャップ５１を収納筒体２１の基端側に套嵌するとき、キャップ５１で、突出体３３を長孔２４に沿って収納筒体２１の先端側に押圧することにより、ブラシ本体２７を使用位置Ｂ側に移動させるようにした化粧用ブラシにおいて、
ブラシ本体２７に、係止体５４が長孔２４から外方突出するように設けられ、キャップ５１を収納筒体２１の基端側から取り外す際に、ブラシ本体２７を、キャップ５１に連動させて使用位置Ｂから収納位置Ａ側に移動させるように、前記ブラシ本体２７の係止体５４に係脱自在に係合する係合部５８が、キャップ５１に、設けられ、
前記係止体５４が、ブラシ本体２７に、長孔２４から出退自在に外方突出するように設けられると共に、係止体５４を長孔２４から外方突出するように付勢するバネ７１が設けられ、
ブラシ本体２７を収納位置Ａに移動させたとき、係合部５８が係止体５４から外れるように、係止体５４を前記バネ５５に抗して長孔２４内に後退させるカム機構６４が設けられている点にある。
【０００８】
本発明の他の技術的手段は、前記カム機構６４が、係止体５４に形成したカム面６１と、前記長孔２４の基端側縁部とで構成されている点にある。
【０００９】
本発明の他の技術的手段は、収納筒体２１と、収納筒体２１に着脱自在に套嵌されるキャップ５１とを備え、収納筒体２１に、先端側にブラシ毛２８を有するブラシ本体２７が、ブラシ毛２８が収納筒体２１内に収まる収納位置Ａとブラシ毛２８が収納筒体２１の先端から突出する使用位置Ｂとに移動自在となるように収納された化粧用ブラシにおいて、
ブラシ本体２７に、係止体３３が設けられ、キャップ５１を収納筒体２１の基端側から取り外す際に、ブラシ本体２７をキャップ５１に連動させて使用位置Ｂから収納位置Ａ側に移動させるように、前記ブラシ本体２７の係止体５４に係脱自在に係合する係合部５８が、キャップ５１に、設けられ、
収納筒体２１に挿通孔６６が設けられ、ブラシ本体２７に、第２係止体７０が前記挿通孔６６から出退自在に外方突出するように設けられると共に、第２係止体７０を挿通孔６６から出退自在に外方突出するように付勢するバネ７１が設けられ、
キャップ５１に、前記ブラシ本体２７の第２係止体７０に係脱自在に係合する第２係合部７２が設けられ、
キャップ５１を収納筒体２１の先端側に套嵌したとき、ブラシ本体２７の第２係止体７０が、収納筒体２１の挿通孔６６から突出すると共に、この突出した第２係止体７０に、収納筒体２１に対してキャップ５１を位置決め保持するように、キャップ５１の第２係合部７２が、係脱自在に係合するように構成されている点にある。
【００１０】
本発明の他の技術的手段は、前記収納筒体２１とキャップ５１とは、長手方向の中心線廻りに互いに１８０度回転させても、収納筒体２１に対してキャップ５１が着脱自在に套嵌可能になるように、長手方向の中心線廻りに点対称となる筒状に形成され、前記キャップ５１の係合部５８と第２係合部７２とが、互いに兼用できるように、長手方向の中心線廻りに点対称な位置に設けられている点にある。
【００１１】
【発明の実施の形態】
以下、本発明の実施の形態を図面に基いて説明する。
【００１２】
図１及び図２は、化粧用ブラシの一例として顔に白粉を付けるためのパウダーブラシを示している。同図において、２１は収納筒体で、図６〜図８にも示すように、長円形の筒状に形成された胴部２２と、基端に設けられた閉塞壁２５とを有し、収納筒体２１の先端に先端開口部２３が設けられている。収納筒体２１の胴部２２に長孔２４が長手方向に設けられている。この長孔２４は胴部２２の幅方向の一端側に形成されている。
【００１３】
２７はブラシ本体で、先端側に束ねられた多数のブラシ毛２８を有すると共に、該先端側のブラシ毛２８を束状に保持するブラシ保持具２９を有している。ブラシ本体２７は、収納筒体２１に、ブラシ毛２８が収納筒体２１内に収まる収納位置Ａとブラシ毛２８が収納筒体２１の先端から突出する使用位置Ｂとに移動自在となるように収納されている。ブラシ保持具２９には、図９〜図１２にも示すように、先端側の収納凹部３１と基端側の収納凹部３２と収納凹部３１，３２間に位置する取付孔３６とが設けられている。
【００１４】
ブラシ本体２７に、突出体３３が長孔２４から外方突出するように設けられている。この突出体３３は、図１７〜図１９に示すように、操作頭部３４と連結基部３８と一対の支持脚部３５とを有している。一対の支持脚部３５を、ブラシ保持具２９の取付孔３６内に挿通し、支持脚部３５先端の係合爪３７を、取付孔３６の段部３６ａに係合して抜け止めすることにより、突出体３３がブラシ保持具２９に装着され、一対の支持脚部３５の連結基部３８が長孔２４内に挿通されて、操作頭部３４が長孔２４より収納筒体２１の外部に突出されている。
【００１５】
而して、突出体３３を長孔２４に沿って該長孔２４の基端側に移動操作することにより、図２に示す如くブラシ毛２８が収納筒体２１内に収まる収納位置Ａに、ブラシ本体２７を移動させることができると共に、突出体３３を長孔２４に沿って該長孔２４の先端側に移動操作することにより、図１に示す如くブラシ毛２８が収納筒体２１の先端から突出する使用位置Ｂに、ブラシ本体２７を移動させることができるように構成されている。
収納位置Ａにあるブラシ本体２７のブラシ毛２８の中途部に長孔２４の先端が達するように、前記長孔２４は収納筒体２１の胴部２２に形成され、収納筒体２１とブラシ本体２７との間に、長孔２４からブラシ本体２７のブラシ毛２８が外方突出しないように規制する規制部材４１が設けられている。
【００１６】
規制部材４１は、図１３〜図１６に示すように、長方形板状に形成され、規制部材４１の基端側に、前記長孔２４に対応して該長孔２４の半分程度の長さの長孔４２が設けられている。規制部材４１の先端側は、長孔２４の先端側とブラシ本体２７のブラシ毛２８との間を塞ぐ閉塞部４４とされている。
規制部材４１の長孔４２の先端側縁部に、先端ストッパー４７が突設され、規制部材４１の長孔４２の基端側縁部に、基端ストッパー４８が突設されている。先端ストッパー４７が長孔２４の先端開口縁部に接当して、規制部材４１の先端側への移動を後述の退避位置Ｄで規制し、ブラシ保持具２９の基端縁部が基端ストッパー４８に接当して、ブラシ本体２７の収納位置Ａ側への移動に連動して、規制部材４１が収納筒体２１の基端側に移動するようになっている。
【００１７】
また、前記突出体３３の一対の支持脚部３５が、前記収納筒体２１の長孔２４と規制部材４１の長孔４２とに挿通されている。これにより、規制部材４１が、長孔２４からブラシ本体２７のブラシ毛２８が外方突出しないように規制すると共に、規制部材４１が、突出体３３が長孔２４に沿って長孔２４の先端側を移動するのを妨げないように、退避可能に構成されている。
即ち、長孔２４の先端側とブラシ本体２７のブラシ毛２８との間を閉塞部４４で塞ぐ規制位置Ｃと、突出体３３が長孔２４に沿って長孔２４の先端側を移動するのを妨げないように、閉塞部４４が収納筒体２１の長孔２４前方に位置する退避位置Ｄとに、規制部材４１は移動自在とされ、図２に示す如くブラシ本体２７のブラシ毛２８が長孔２４側に位置するとき、ブラシ毛２８が長孔２４から突出しないように、規制部材４１が規制位置Ｃに位置すると共に、図１に示す如くブラシ本体２７のブラシ毛２８が長孔２４の前方に位置するとき、突出体３３の移動操作を妨げないように、規制部材４１が退避位置Ｄに位置するように、規制部材４１がブラシ本体２７の移動に連動するようになっている。
【００１８】
５１は収納筒体２１に着脱自在に套嵌されるキャップである。キャップ５１は、図３〜図５にも示すように、前記収納筒体２１に対応して一端が開口した長円形の筒状に形成されており、収納筒体２１の基端側に着脱自在に套嵌可能であると共に、収納筒体２１の基端側に套嵌可能に構成され、キャップ５１を収納筒体２１の基端側に套嵌するとき、キャップ５１の開口縁部が、突出体３３に収納筒体２１の基端側から接当して、キャップ５１で、突出体３３を長孔２４に沿って収納筒体２１の先端側に押圧するようになっている。これにより、キャップ５１を収納筒体２１の基端側に套嵌すると、ブラシ本体２７をキャップ５１に連動させて収納位置Ａから使用位置Ｂ側に移動させるようになっている。
【００１９】
また、前記収納筒体２１とキャップ５１とは、上記の如く長円形の筒状に形成されていて、長手方向の中心線廻りに点対称となる筒状であり、収納筒体２１とキャップ５１とを長手方向の中心線廻りに互いに１８０度回転させても、収納筒体２１に対してキャップ５１が着脱自在に套嵌可能になっている。
ブラシ本体２７に、係止頭部５３を有する係止体５４が設けられている。この係止体５４は、図２３〜図２５に示すように、係止頭部５３の他に、大径部５２と小径部５６と廻り止め部５９とを有し、ブラシ本体２７の収納凹部３２に収納筒体２１の幅方向に移動自在となるように収納されて、係止体５４の係止頭部５３が長孔４２及び長孔２４から出退自在に外方突出するようになっている。ブラシ本体２７の収納凹部３２に、係止体５４を長孔２４から外方突出するように付勢するバネ５５が設けられている。
【００２０】
キャップ５１の開口端部側の幅方向両側に、四角形の貫通孔５７が互いに対向するように設けられ、これら貫通孔５７の開口端縁側が、前記ブラシ本体２７の係止体５４に係脱自在に係合する係合部５８とされている。これら係合部５８のうちの長孔２４側に位置する一方の係合部５８は、収納筒体２１の基端側に套嵌したキャップ５１を、収納筒体２１の基端側から取り外す際に、ブラシ本体２７の係止体５４に係脱自在に係合して、ブラシ本体２７を使用位置Ｂから収納位置Ａ側に移動させるべく、ブラシ本体２７をキャップ５１に連動させるようになっている。
【００２１】
前記係止体５４の係止頭部５３には、円弧状に形成したカム面６１が設けられており、これにより、係止体５４側と係合部５８側との間にカム機構６２が形成されている。このカム機構６２は、係止体５４に形成したカム面６１と、キャップ５１の開口縁部とで構成され、キャップ５１を収納筒体２１の基端側に套嵌するとき、カム機構６２によって、係合部５８が係止体５４を乗り越えるように係止体５４を前記バネ５５に抗して長孔２４内に後退させるようになっている。
また、ブラシ本体２７を収納位置Ａに移動させたとき、係合部５８が係止体５４から外れるように、係止体５４を前記バネ５５に抗して長孔２４内に後退させるカム機構６４が、係止体５４と収納筒体２１との間に設けられ、このカム機構６４は、前記係止体５４に形成したカム面６１と前記長孔２４の基端側縁部とで構成されている。
【００２２】
前記収納筒体２１の幅方向の一端側であって長孔２４とは反対側に、挿通孔６６が設けられている。この挿通孔６６は、長孔２４と対向する位置にあって、ブラシ本体２７が収納筒体２１の収納位置Ａ側に移動したとき、前記ブラシ本体２７の収納凹部３１とが一致するようになっている。
ブラシ本体２７に、係止頭部６９を有する第２係止体７０が設けられている。この第２係止体７０は、図２０〜図２２に示すように、係止頭部６９の他に、大径部７３と小径部７４と廻り止め部７５とを有し、ブラシ本体２７の収納凹部３１に収納筒体２１の幅方向に移動自在となるように収納されている。ブラシ本体２７の収納凹部３１に、係止体５４を長孔２４から外方突出するように付勢するバネ７１が設けられ、前記収納筒体２１の挿通孔６６と、ブラシ本体２７の収納凹部３１とが一致したとき、第２係止体７０の係止頭部６９が挿通孔６６から出退自在に外方突出するようになっている。
【００２３】
キャップ５１に互いに対向するように設けた前記一対の貫通孔５７の開口端縁側が、前記ブラシ本体２７の第２係止体７０に係脱自在に係合する第２係合部７２とされ、この第２係合部７２と、係止体５４に係脱自在に係合する前記係合部５４とは、互いに兼用できるようになっている。
即ち、キャップ５１を収納筒体２１の先端側に套嵌したとき、一対の貫通孔５７の開口端縁側が、前記ブラシ本体２７の第２係止体７０に係脱自在に係合する第２係合部７２として機能するようになっており、キャップ５１の収納筒体２１の先端側への套嵌により、ブラシ本体２７が収納筒体２１に対して収納位置Ａ側に移動して、収納筒体２１の挿通孔６６とブラシ本体２７の収納凹部３１とが一致して、第２係止体７０の係止頭部６９が挿通孔６６から出退自在に外方突出すると共に、この突出した第２係止体７０に、これら第２係合部７２のうちの挿通孔６６側に位置する一方の第２係合部７２が、係脱自在に係合し、収納筒体２１に対してキャップ５１を位置決め保持するようになっている。
【００２４】
前記第２係止体７０の係止頭部６９は円弧状に形成され、これにより、第２係合部７２が第２係止体７０を乗り越える際に、比較的軽い力で第２係止体７０がバネ７１に抗して挿通孔６６内に後退して、第２係合部７２が第２係止体７０に対して比較的簡単に係脱するようになっている。
上記実施の形態によれば、化粧用ブラシを使用する場合、図２に示すようにブラシ本体２７が収納位置Ａにある状態から、キャップ５１を収納筒体２１の先端側から取り外した後、図１に示す如くキャップ５１を収納筒体２１の基端側に套嵌して、キャップ５１で突出体３３を長孔２４に沿って該長孔２４の先端側に移動操作すればよく、これによりブラシ本体２７が収納筒体２１に対して先端側に移動し、図１に示すようにブラシ本体２７が使用位置Ｂに移動したとき、突出体５が規制部材４１の先端ストッパー４７を介して長孔２４の先端開口縁部に接当し、ブラシ毛２８が収納筒体２１の先端開口部２３から突出した使用状態になる。
【００２５】
このように、ブラシ本体２７が収納位置Ａから使用位置Ｂに移動する際において、ブラシ本体２７のブラシ毛２８が長孔２４の先端側に位置するとき、規制部材４１が規制位置Ｃにあるため、長孔２４の先端側とブラシ本体２７のブラシ毛２８との間を規制部材４１の閉塞部４４で塞ぎ、ブラシ毛２８が長孔２４から突出しないように、規制部材４１が規制する。
そして、ブラシ本体２７が収納位置Ａから使用位置Ｂに移動する途中で、突出体３３が規制部材４１の先端ストッパー４７（長孔４２の先端開口縁部）に接当し、突出体３３が規制部材４１を先端側に押圧する。従って、ブラシ本体２７が収納位置Ａから使用位置Ｂ側に移動して、ブラシ本体２７のブラシ毛２８が長孔２４の前方に位置するようになると、突出体３３により先端ストッパー４７が押圧されて、規制部材４１が次第に先端側に移動し、最終的には先端ストッパー４７が長孔２４の先端開口縁部に接当して、突出体３３の移動操作を妨げないように規制部材４１が退避位置Ｄに移動するため、突出体３３が長孔２４に沿って長孔２４の先端側を移動するのを妨げることがなくなる。
【００２６】
また、キャップ５１を収納筒体２１の基端側に套嵌するとき、カム機構６２によって、係止体５４を前記バネ５５に抗して長孔２４内に後退させ、キャップ５１の長孔２４側の係合部５８が係止体５４を乗り越え、係合部５８が係止体５４よりも先端側に位置し、係合部５８が係止体５４に対して先端側から係合可能な状態になる。
また、キャップ５１を収納筒体２１の基端側に套嵌するとき、収納筒体２１とキャップ５１とを長手方向の中心線廻りに互いに１８０度回転させても、収納筒体２１の基端側に対してキャップ５１を套嵌できて、便利である。しかも、納筒体２１とキャップ５１とは、キャップ５１の開口端部側の幅方向両側に、係止体５４に係脱自在に係合する係合部５８が設けられているため、このときにも、キャップ５１の係合部５８が係止体５４を乗り越え、係合部５８が係止体５４よりも先端側に位置し、係合部５８が係止体５４に対して先端側から係合可能な状態になる。
【００２７】
そして、化粧用ブラシを使用した後に、収納筒体２１の基端側に套嵌したキャップ５１を、収納筒体２１の基端側から取り外す際に、係合部５８のうちの長孔２４側に位置する一方の係合部５８が、ブラシ本体２７の係止体５４に係脱自在に係合して、ブラシ本体２７がキャップ５１に連動し、ブラシ本体２７を使用位置Ｂから収納位置Ａ側に移動し、ブラシ毛２８が収納筒体２１内に収まる。
また、収納筒体２１の基端側に套嵌したキャップ５１が、収納筒体２１の基端側から抜ける直前には、カム面６１と前記長孔２４の基端側縁部との間に形成されたカム機構６４が作用して、ブラシ本体２７を収納位置Ａに移動させたとき、係止体５４を前記バネ５５に抗して長孔２４内に後退させ、係合部５８が係止体５４からスムーズに外れ、キャップ５１を収納筒体２１の基端側から大きな抵抗もなく容易に外すことができる。
【００２８】
従って、従来のように、キャップ５１を収納筒体２１の基端側から取り外した後に、指等で突出体３３を長孔２４に沿って収納筒体２１の基端側に押圧することにより、ブラシ本体２７を収納位置Ａ側に移動させる必要がなくなり、化粧用ブラシを使用した後、キャップ５１を収納筒体２１の基端側から取り外した後に、直ぐにキャップ５１を収納筒体２１の先端側に套嵌させればよくなり、化粧用ブラシの使用後からキャップ５１を収納筒体２１の先端側に套嵌させるまでの操作が非常に簡単になる。
【００２９】
また、ブラシ本体２７が使用位置Ｂから収納位置Ａ側に移動する途中において、突出体３３が規制部材４１の長孔４２内を基端側に移動し、ブラシ保持具２９の基端縁部が基端ストッパー４８に接当して、ブラシ本体２７が規制部材４１を基端側に押圧する。
その結果、ブラシ本体２７により基端ストッパー４８が押圧され、ブラシ本体２７の収納位置Ａ側への移動に連動して、規制部材４１が次第に基端側に移動し、最終的には規制部材４１が退避位置Ｄから規制位置Ｃに移動し、長孔２４の先端側とブラシ本体２７のブラシ毛２８との間を規制部材４１の閉塞部４４で塞いだ状態になる。
【００３０】
従って、収納筒体２１とブラシ本体２７との間に、長孔２４からブラシ本体２７のブラシ毛２８が外方突出しないように規制する規制部材４１があるため、ブラシ本体２７を使用位置に移動させる際に、規制部材４１により、ブラシ毛２８が長孔２４の先端側縁部に引っ掛かかってブラシ毛２８が折れ曲がるのを確実に防止することができる。しかも、長孔２４の先端が、収納位置にあるブラシ本体２７のブラシ毛２８の中途部に位置するように、長孔２４を形成しているので、収納筒体２１及びブラシ本体２７を極力短く形成することができ、化粧用ブラシ全体をコンパクトに形成することができる。
【００３１】
その後は、キャップ５１を収納筒体２１の先端側に套嵌すればよい。キャップ５１を収納筒体２１の先端側に套嵌すると、キャップ５１の開口縁部で突出体３３を基端側に押圧して、ブラシ本体２７を完全に収納位置Ａに移動させる。ブラシ本体２７の収納位置Ａへの移動により、収納筒体２１の挿通孔６６とブラシ本体２７の収納凹部３１とが一致して、第２係止体７０の係止頭部６９が挿通孔６６から出退自在に外方突出すると共に、挿通孔６６側に位置する一方の第２係合部７２が、第２係止体７０を乗り越え、突出した第２係止体７０に係脱自在に係合する。これにより、収納筒体２１に対してキャップ５１が位置決め保持され、キャップ５１が収納筒体２１から不測に抜けないようになる。
【００３２】
また、キャップ５１を収納筒体２１の先端側に套嵌する際に、収納筒体２１とキャップ５１とを長手方向の中心線廻りに互いに１８０度回転させても、収納筒体２１の先端側に対してキャップ５１を套嵌できて、便利である。しかも、キャップ５１の開口端部側の幅方向両側に設けた前記係合部５８が、ブラシ本体２７の第２係止体７０に係脱自在に係合する第２係合部７２として機能するようになっているため、このときにも、キャップ５１の第２係合部７２が第２係止体７０を乗り越えて、第２係合部７２が第２係止体７０に対して基端側から係合し、収納筒体２１に対してキャップ５１を位置決め保持する。
【００３３】
【発明の効果】
本発明によれば、化粧用ブラシを使用した後に、キャップ５１を収納筒体２１の基端側から取り外すだけで、ブラシ本体２７を収納位置Ａ側に移動させることができ、化粧用ブラシの使用後からキャップ５１を収納筒体２１の先端側に套嵌させるまでの操作が非常に簡単になる。
【図面の簡単な説明】
【図１】  本発明の一実施の形態を示す使用状態の正面断面図である。
【図２】  同使用状態の正面断面図である。
【図３】  同キャップの平面図である。
【図４】  同キャップの底面図である。
【図５】  同図３のＡ−Ａ線断面図である。
【図６】  同収納筒体の平面図である。
【図７】  同収納筒体の底面図である。
【図８】  同図６のＢ−Ｂ線断面図である。
【図９】  同ブラシ保持具の平面図である。
【図１０】  同ブラシ保持具の正面断面図である。
【図１１】  同ブラシ保持具の底面図である。
【図１２】  同ブラシ保持具の側面図である。
【図１３】  同規制部材の平面図である。
【図１４】  同図１３のＣ−Ｃ線断面図である。
【図１５】  同規制部材の底面図である。
【図１６】  同規制部材の側面図である。
【図１７】  同突出体の正面図である。
【図１８】  同突出体の側面図である。
【図１９】  同突出体の平面図である。
【図２０】  同第２係止体の正面図である。
【図２１】  同第２係止体の側面図である。
【図２２】  同第２係止体の平面図である。
【図２３】  同係止体の正面図である。
【図２４】  同係止体の側面図である。
【図２５】  同係止体の平面図である。
【図２６】  従来例を示す収納状態の正面断面図である。
【図２７】  同使用状態の正面断面図である。
【符号の説明】
２１    収納筒体
２４    長孔
２７    ブラシ本体
２８    ブラシ毛
３３    突出体
５１    キャップ
５４    係止体
５５    バネ
５８    係合部
６２    カム機構
６４    カム機構
６６    挿通孔
７０    第２係止体
７１    バネ
７２    第２係合部
【図１】
0003694646.tif 000002
【図２】
0003694646.tif 000003
【図３】
0003694646.tif 000004
【図４】
0003694646.tif 000005
【図５】
0003694646.tif 000006
【図６】
0003694646.tif 000007
【図７】
0003694646.tif 000008
【図８】
0003694646.tif 000009
【図９】
0003694646.tif 000010
【図１０】
0003694646.tif 000011
【図１１】
0003694646.tif 000012
【図１２】
0003694646.tif 000013
【図１３】
0003694646.tif 000014
【図１４】
0003694646.tif 000015
【図１５】
0003694646.tif 000016
【図１６】
0003694646.tif 000017
【図１７】
0003694646.tif 000018
【図１８】
0003694646.tif 000019
【図１９】
0003694646.tif 000020
【図２０】
0003694646.tif 000021
【図２１】
0003694646.tif 000022
【図２２】
0003694646.tif 000023
【図２３】
0003694646.tif 000024
【図２４】
0003694646.tif 000025
【図２５】
0003694646.tif 000026
【図２６】
0003694646.tif 000027
【図２７】
0003694646.tif 000028